(57)【要約】【課題】運搬および設置を適切に行うことができる燃料電池システムを提供する。【解決手段】  燃料電池システムは、固体酸化物形燃料電池を含む燃料電池モジュールと、固体酸化物形燃料電池で発電を行う際に用いる付属機器である燃料電池補機と、燃料電池モジュールおよび燃料電池補機を収納する第１筐体と、固体酸化物形燃料電池の発電時に生じる排熱により加熱された水を貯留する貯湯タンクと、貯湯タンク内に貯留された、加熱された水を外部に供給させるために用いる付属機器である貯湯タンク補機と、貯湯タンクおよび貯湯タンク補機を収納する第２筐体と、を備え、第１筐体の上面に、第２筐体が配置される。【選択図】図１
2016162636.tif 000002
【特許請求の範囲】
【請求項１】
固体酸化物形燃料電池を含む燃料電池モジュールと、
前記固体酸化物形燃料電池で発電を行う際に用いる付属機器である燃料電池補機と、
前記燃料電池モジュールおよび前記燃料電池補機を収納する第１筐体と、
前記固体酸化物形燃料電池の発電時に生じる排熱により加熱された水を貯留する貯湯タンクと、
前記貯湯タンク内に貯留された、前記加熱された水を外部に供給させるために用いる付属機器である貯湯タンク補機と、
前記貯湯タンクおよび前記貯湯タンク補機を収納する第２筐体と、を備え、
前記第１筐体の上面に、前記第２筐体が配置される燃料電池システム。
【請求項２】
前記貯湯タンク内の水が前記第１筐体内に漏洩することを防止する漏洩防止部材が前記第２筐体の底面部分に設けられている、請求項１に記載の燃料電池システム。
【請求項３】
前記第１筐体は、該第１筐体の上面から上方に向かって突出したに支柱を備え、
前記第２筐体は、該第２筐体の底面において前記支柱を挿通させるための孔部を備える請求項１または２に記載の燃料電池システム。
【請求項４】
前記第１筐体は、その側面外側において、該第１筐体内に収納されている第１配管および第１配線を、前記第２筐体内に収納されている第２配管および第２配線に接続させるための第１筐体側接合部を有し、
前記第２筐体は、その側面外側において、前記第２配管および第２配線を、前記第１配管および第１配線に接続させるための第２筐体側接合部を有する請求項１から３のいずれか１項に記載の燃料電池システム。
【発明の詳細な説明】
【技術分野】
【０００１】
本発明は燃料電池システムに関するものである。
【背景技術】
【０００２】
近年、燃料電池を利用した家庭用のコージェネシステム（以下、燃料電池システムと称する）の利用が進んでいる。この燃料電池システムで用いる燃料電池として、固体高分子形燃料電池（ＰＥＦＣ）ならびに固体酸化物形燃料電池（ＳＯＦＣ）の開発が行われている。
【０００３】
例えば、燃料電池としてＳＯＦＣを用いた燃料電池システムの構成例としては、特許文献１に開示された燃料電池システムが挙げられる。特許文献１に開示されている燃料電池システムでは、図５に示すように筐体１１１内の下側に貯湯タンク１１３を配置し、この貯湯タンク１１３の上部に燃料電池を含む燃料電池モジュール１１２が配置されている。また貯湯タンク１１３と筐体１１１の内側のコーナー空間部には、燃料電池モジュール１１２に含まれる燃料電池で発電を行う際に用いる付属機器である補機１１４（１１４ａ〜１１４ｇ）が設けられている。補機１１４としては、例えば、制御装置１１４ａ、空気ポンプ１１４ｂ、水タンク１１４ｃ、純水器１１４ｄ、熱交換器１１４ｅ、凝縮水タンク１１４ｆ、および脱硫器１１４ｇなどが挙げられる。
【先行技術文献】
【特許文献】
【０００４】
【特許文献１】特開２０１３−２５４６０８号公報
【発明の概要】
【発明が解決しようとする課題】
【０００５】
本発明は、一例として、運搬および設置を適切に行うことができる燃料電池システムを提供することを課題とする。
【課題を解決するための手段】
【０００６】
本発明の固体酸化物形燃料電池システムの一態様（ａｓｐｅｃｔ）は、固体酸化物形燃料電池を含む燃料電池モジュールと、前記固体酸化物形燃料電池で発電を行う際に用いる付属機器である燃料電池補機と、前記燃料電池モジュールおよび前記燃料電池補機を収納する第１筐体と、前記固体酸化物形燃料電池の発電時に生じる排熱により加熱された水を貯留する貯湯タンクと、前記貯湯タンク内に貯留された、前記加熱された水を外部に供給させるために用いる付属機器である貯湯タンク補機と、前記貯湯タンクおよび前記貯湯タンク補機を収納する第２筐体と、を備え、前記第１筐体の上面に、前記第２筐体が配置される。
【発明の効果】
【０００７】
本発明の一態様に係る燃料電池システムによれば、運搬および設置を適切に行うことができるという効果を奏する。
【図面の簡単な説明】
【０００８】
【図１】本発明の実施形態に係る燃料電池システムの要部構成の一例を模式的に示した図である。
【図２】本発明の実施形態に係る燃料電池システムの組み立て状態の一例を模式的に示す図である。
【図３】本発明の実施形態に係る燃料電池システムの要部構成の一例を模式的に示した図である。
【図４】本発明の実施形態に係る燃料電池システムの第１筐体と第２筐体とを分離させた状態を示す斜視図である。
【図５】従来技術に係る燃料電池システムの概略構成を示す図である。
【発明を実施するための形態】
【０００９】
（本発明の一形態を得るに至った経緯）
本発明者らは、燃料電池システムの構成に関して鋭意検討を行った。その結果、以下の知見を得た。
【００１０】
まず、燃料電池システムで用いる燃料電池としては、以下の点ではＰＥＦＣよりもＳＯＦＣの方が有利である。つまり、ＳＯＦＣは、発電時の動作温度が約６００〜７００℃で、ＰＥＦＣの発電時の動作温度（６０〜８０℃）よりも高温となる。このため、ＳＯＦＣは、貯湯タンク内の水の温度をＰＥＦＣよりも短時間で高くすることができるとともに、貯湯タンク内で水を高い温度に保つことができるという利点を有する。
【００１１】
このようにＳＯＦＣは、ＰＥＦＣよりも水の温度を短時間で高くすることができるため、貯湯タンク容量をＰＥＦＣより大幅に小さくしても必要な湯量を供給することが可能となる。このため、燃料電池システムで用いる燃料電池として、ＳＯＦＣの利用が進められている。
【００１２】
ところで、特許文献１に開示された燃料電池システムのように、燃料電池モジュール１１２、貯湯タンク１１３、および補機１１４が１つの筐体１１１内に収納された構成の場合、適切な運搬および設置が困難となる。つまり、特許文献１の燃料電池システムのように貯湯タンク１１３の上部に燃料電池を含む燃料電池モジュール１１２が配置された構成では、設置面積を小さくすることができるという利点を有する一方、高さ方向に大きくなる（約１８０ｃｍ程度）という問題がある。このため、燃料電池システムを施工する作業員がこの燃料電池システムを運搬する際、または所望の位置に設置する際に、燃料電池システムを横倒しする場合がある。燃料電池システムを横倒しすると、燃料電池モジュール１１２に含まれるＳＯＦＣ（燃料電池スタック）のセルが破損する可能性がある。
【００１３】
また、ＳＯＦＣを含む燃料電池モジュールの重量は、現段階では約４５ｋｇであり、その補機１１４を含めると合計で約８０ｋｇ程度の重さとなる。また、貯湯タンクとその補機１１４の重量は、合計で約６０ｋｇとなり、一つの筐体内に燃料電池モジュール１１２、貯湯タンク１１３、および補機１１４を収納すると、総重量が約１４０ｋｇ程度となる。
【００１４】
ところで、燃料電池システムの設置は、人件費の抑制および運搬時の機動力を考慮して通常、２人の作業員によって行われる。ここで、２人の作業員で運搬可能な重量は、一般的には１１０ｋｇ以下に設定されており、総重量が約１４０ｋｇとなる燃料電池システムの運搬には困難が生じる。
【００１５】
そこで、本発明者らは、設置面積を大きくすることなく、運搬時の重量を１１０ｋｇ以下としつつ燃料電池モジュール１１２を横倒しすることのない、燃料電池システムについて鋭意検討した。その結果、以下の知見に至った。
【００１６】
すなわち、本発明者らは、燃料電池モジュールと該燃料電池モジュール用の補機（以下、燃料電池補機と称する）を収納する第１筐体と、貯湯タンクと該貯湯タンク用の補機（以下、貯湯タンク補機と称する）を収納する第２筐体とに分け運搬することで、１回あたりの運搬時の重量を低減させることができることを見出した。また、第１筐体と第２筐体とを高さ方向に並べて配置することで、設置面積を小さくすることができる点も見出した。さらにまた、本発明者らは、第１筐体の上に第２筐体を配置する構成とすることで、設置時において燃料電池モジュールを収容した第１筐体を横倒しすることを防ぐことができる点を見出し、本発明に至った。そして、本発明では具体的には以下に示す態様を提供する。
【００１７】
本発明の第１の態様に係る燃料電池システムは、固体酸化物形燃料電池を含む燃料電池モジュールと、前記固体酸化物形燃料電池で発電を行う際に用いる付属機器である燃料電池補機と、前記燃料電池モジュールおよび前記燃料電池補機を収納する第１筐体と、前記固体酸化物形燃料電池の発電時に生じる排熱により加熱された水を貯留する貯湯タンクと、前記貯湯タンク内に貯留された、前記加熱された水を外部に供給させるために用いる付属機器である貯湯タンク補機と、前記貯湯タンクおよび前記貯湯タンク補機を収納する第２筐体と、を備え、前記第１筐体の上面に、前記第２筐体が配置される。
【００１８】
上記構成によると、燃料電池システムは、燃料電池モジュールおよび燃料電池補機を収納する第１筐体と、貯湯タンクおよび貯湯タンク補機を収納する第２筐体とに分割されている。このため、燃料電池システムは、１回あたりの運搬時の重量を低減させることができる。また、燃料電池システムでは、第１筐体の上面に第２筐体を配置する構成である。このように、燃料電池システムでは第１筐体と第２筐体とを高さ方向に配置するため、燃料電池の設置面積を小さくすることができる。さらに、第１筐体を第２筐体の下方に配置するため、第１筐体を横倒しすることなく配置することができる。これにより、第１筐体内に収納された燃料電池モジュールが横倒しされて、固体酸化物形燃料電池のセルが破損してしまうことを防ぐことができる。
【００１９】
したがって、本発明の第１の態様に係る燃料電池システムは、運搬および設置を適切に行うことができるという効果を奏する。
【００２０】
また、本発明の第２の態様に係る燃料電池システムは、上記した第１の態様に係る燃料電池システムにおいて、前記貯湯タンク内の水が前記第１筐体内に漏洩することを防止する漏洩防止部材が前記第２筐体の底面部分に設けられた構成であってもよい。
【００２１】
上記構成によると、燃料電池システムは漏洩防止部材が設けられているため、第２筐体内の貯湯タンクから水が漏れた場合であっても該水が第１筐体内に漏洩することを防ぐことができる。
【００２２】
また、本発明の第３の態様に係る燃料電池システムは、上記した第１または第２の態様に係る燃料電池システムにおいて、前記第１筐体は、該第１筐体の上面から上方に向かって突出したに支柱を備え、前記第２筐体は、該第２筐体の底面において前記支柱を挿通させるための孔部を備える構成であってもよい。
【００２３】
上記構成によると、第１筐体の支柱に第２筐体の孔部を挿通させるだけで両者の位置決めを容易に行うことができるとともに両者を固定させることができる。
【００２４】
また、本発明の第４の態様に係る燃料電池システムは、上記した第１から第３の態様のいずれか１つの態様に係る燃料電池システムにおいて、前記第１筐体は、その側面外側において、該第１筐体内に収納されている第１配管および第１配線を、前記第２筐体内に収納されている第２配管および第２配線に接続させるための第１筐体側接合部を有し、前記第２筐体は、その側面外側において、前記第２配管および第２配線を、前記第１配管および第１配線に接続させるための第２筐体側接合部を有する構成であってもよい。
【００２５】
上記構成によると、燃料電池システムは、第１筐体側接合部と第２筐体側接合部とを有するため、第１筐体内に収納されている第１配線および第１配管と、第２筐体内に収納されている第２配線および第２配管とを、容易に接続させることができる。特に、第１筐体側接合部は第１筐体の側面外側に、第２筐体側接合部は第２筐体の側面外側にそれぞれ設けられている。このため、作業員は、第１配管と第２配管との接合、ならびに第１配線と第２配線との接合を楽な姿勢で行うことができる。また、第１筐体側接合部と第２筐体側接合部との接合により第１筐体と第２筐体との接合強度を高めることもできる。
【００２６】
以下、実施形態の具体例について、図面を参照して説明する。なお、以下では全ての図を通じて同一または対応する構成部材には同一の参照符号を付して、その説明については省略する場合がある。
【００２７】
（燃料電池システムの構成）
図１を参照して本発明の実施形態に係る燃料電池システム１００の構成について説明する。図１は、本発明の実施形態に係る燃料電池システム１００の要部構成の一例を模式的に示した図である。
【００２８】
図１に示すように、燃料電池システム１００は、第１筐体７と、第１筐体７の上面に配置された第２筐体１０とを備えてなる構成である。第１筐体７には、固体酸化物形燃料電池（以下、ＳＯＦＣと称する）４を含む燃料電池モジュール５と、ＳＯＦＣ４で発電を行う際に用いる付属機器である燃料電池補機６とが収納されている。なお、図１では燃料電池モジュール５の上方に燃料電池補機６が配置された構成となっているが両者の配置関係はこれに限定されるものではなく、第１筐体７内に燃料電池モジュール５と燃料電池補機６とが収納されていればよい。
【００２９】
燃料電池モジュール５には、例えばＳＯＦＣ４（燃料電池スタック）に加えて、改質器、および燃焼部等が含まれる。改質器は、外部から供給された原料を改質反応により改質して、水素リッチな改質ガスを発生させ、ＳＯＦＣ４に供給する。ＳＯＦＣ４のアノード側には改質器で発生された改質ガスが供給され、カソード側には酸化剤ガスとして例えば空気が供給される。そして、ＳＯＦＣ４では、改質ガスと酸化剤ガスとを反応させて発電する。燃焼部は、ＳＯＦＣのアノードから排出されるアノードオフガスとカソードから排出されるカソードオフガスとを混合させ燃焼させる。また、ＳＯＦＣ４には集電部材が設けられており、ＳＯＦＣ４はこの集電部材を介して電力負荷と電気的に接続される。
【００３０】
また、燃料電池補機６としては、例えば、原料および空気の流量を制御する流量制御弁、制御装置、空気ポンプ、水タンク、純水器、脱硫器、熱交換器、および凝縮水タンクなどが挙げられる。制御装置は、例えば、ＳＯＦＣ４での発電に関する各種制御および発電電力の電力変換を行う装置である。
【００３１】
空気ポンプは、例えば、酸化剤ガスとしてＳＯＦＣ４に空気を供給する空気供給器である。さらには、空気ポンプは、改質器が部分酸化改質反応により改質ガスを生成する構成の場合、この部分酸化改質反応で利用する空気を供給する空気供給器を含むものであってもよい。
【００３２】
水タンクは、例えば、改質器が水蒸気改質反応により改質ガスを生成する構成の場合、この水蒸気改質反応に利用する水を貯留させるためのタンクである。水タンクに貯留される水は、純水器にて生成された純水であってもよい。
【００３３】
脱硫器は、例えば、外部から供給された原料中に含まれる硫黄成分を脱硫するものである。脱硫器としては、吸着脱硫器であってもよいし、水添脱硫器であってもよい。あるいはこれらを組み合わせた構成としてもよい。
【００３４】
熱交換器は、例えば、ＳＯＦＣ４から排出されたアノードオフガスとカソードオフガスとを燃焼部で燃焼させて生成した排ガスと、貯湯タンクに貯留する水との間で熱交換を行うものである。この熱交換器は、本発明の実施形態では燃料電池補機６の一部に含めているが、後述する貯湯タンク補機９に含まれていてもよい。
【００３５】
凝縮水タンクは、例えば、熱交換器による、排ガスと水との熱交換により、排ガス中に含まれる水分が凝縮して生成された凝縮水を貯留するタンクである。
【００３６】
なお、燃料電池補機６はこれら各部に限定されるものではなくＳＯＦＣ４の発電に際して必要な機器が含まれる。例えば、流通する原料および空気の流量を計測する流量計、燃料電池モジュール５の温度を検知する温度検知センサ、燃料電池モジュール５を冷却させるためのファン、排ガスを浄化させるための浄化用フィルタなどを含めてもよい。
【００３７】
一方、第２筐体１０には、ＳＯＦＣ４の発電時に生じる排熱により加熱された水を貯留する貯湯タンク８と、貯湯タンク８内に貯留された、加熱された水を外部に供給させるために用いる付属機器である貯湯タンク補機９とが収納されている。
【００３８】
貯湯タンク８には、外部から供給された水をＳＯＦＣ４の発電時に生じる排熱により加熱させるために、該水を循環させる循環流路が設けられている。そして、この循環流路を流れる水とＳＯＦＣ４から排出された排ガスとの間で熱交換器を介して熱交換させ、水を加熱させる。また、貯湯タンク８に貯留された、加熱された水（お湯）は、必要に応じて外部に供給される。
【００３９】
貯湯タンク補機９は、貯湯タンク８内に貯留された、加熱された水を外部に供給させるために用いる付属機器であって、例えば、貯湯タンク８内の温度を検知する温度検知センサ、貯湯タンク８を介して流通する水の流量を計測する流量計、水の流量を制御する流量制御弁、水を供給するためのポンプ、フィルタ、これら各部の各種制御を行う制御装置を含んでいてもよい。なお、ポンプとしては、外部から水（例えば市水など）を貯湯タンク８に供給するためのポンプ、貯湯タンク８に貯留された水を、循環流路を流通させるためのポンプ、貯留されている、加熱された水を外部に供給するためのポンプ等が挙げられる。
【００４０】
以上のように、本発明の実施形態に係る燃料電池システム１００では、燃料電池モジュール５および燃料電池補機６を収納する第１筐体７と、貯湯タンク８および貯湯タンク補機９を収納する第２筐体１０とに分割できるため、１回あたりの運搬時の重量を低減させることができる。例えば、第１筐体７の重量を１１０ｋｇ以下の約８０ｋｇ程度とすることができ、第２筐体１０の重量を１１０ｋｇ以下の約６０ｋｇ程度とすることができる。それ故、作業員（例えば、施工者）は、１１０ｋｇ以下の重量となる第１筐体７を所望の場所まで二人で運搬し、次いで、１１０ｋｇ以下の重量となる第２筐体１０を所望の場所まで二人で運搬することができる。
【００４１】
また、燃料電池システム１００を第１筐体７と第２筐体１０とに分割するため、第１筐体７および第２筐体１０それぞれは、従来の燃料電池システム１００の筐体と比較して１／２程度の高さ（例えば、約９０ｃｍ）とすることができる。このため、第１筐体７および第２筐体１０それぞれを運搬する際、これらが横倒しされた状態で運搬されることを防ぐことができる。
【００４２】
さらに、燃料電池システム１００は、第１筐体７の上面に第２筐体１０が配置される構成であるため、設置面積を小さくすることができる。また、燃料電池システム１００を設置する際、燃料電池システム１００は高さ方向において第１筐体７上に第２筐体１０を配置する。このため、図２に示すように第２筐体１０については、横倒しもしくは横倒しに近い状態となる可能性がある。しかしながら、第１筐体７は、横倒しされることなくそのまま配置することができる。このため、燃料電池モジュール５に含まれるＳＯＦＣ４のセルが破損することを防止することができる。図２は、本発明の実施形態に係る燃料電池システム１００の組み立て状態の一例を模式的に示す図である。
【００４３】
また、一般的には第２筐体１０の方が、第１筐体７よりも重量が軽くなる。このため、作業員が、第２筐体１０の上方に第１筐体７を持ち上げて配置する場合に比べて、本発明の実施形態のように第１筐体７の上方に第２筐体１０を持ち上げて配置する場合の方が作業的に楽となる。なお、ここでは、第１筐体７の重量を約８０ｋｇ、第２筐体１０の重量を約６０ｋｇとして説明したが、各々の重量は、一例でありこの数値に限定されたものではない。
【００４４】
また、本発明の実施形態に係る燃料電池システム１００は、図３および図４に示すように、第２筐体１０の底面部分に漏洩防止部材１１をさらに設けた構成としてもよい。図３は、本発明の実施形態に係る燃料電池システム１００の要部構成の一例を模式的に示す図である。図４は、本発明の実施形態に係る燃料電池システム１００の第１筐体７と第２筐体１０とを分離させた状態を示す斜視図である。
【００４５】
漏洩防止部材１１は、貯湯タンク８内の水が前記第１筐体７内に漏洩することを防止するためのものであり、例えば図４に示すようにトレイ形状の部材である。また、図４に示すように、第１筐体７の上面には第１筐体７内の温度が過度に高くならないように１以上の通気穴７ａが形成されている。そこで、第２筐体１０内の例えば貯湯タンク８から水漏れすると、この通気穴７ａを介して第１筐体７内に水が浸入する。このため、第１筐体７内に水が浸入することを防ぐために漏洩防止部材１１を備える。
【００４６】
漏洩防止部材１１は、第２筐体１０の底面上に配置され、貯湯タンク８を載置する略矩形の載置面１１ａと、該載置面１１ａの４辺のうち３辺に設けられた壁面１１ｂと、残余の一辺に設けられたガイド面１１ｃとを有する構成である。
【００４７】
壁面１１ｂは、載置面１１ａに対して略垂直となるように、上方（高さ方向において上向き）に立ち上がった面である。一方、ガイド面１１ｃは、載置面１１ａの残余の一辺において、壁面１１ｂとは高さ方向において逆向きとなる下方に向かって、立ち下がった面である。
【００４８】
第２筐体１０において、漏洩防止部材１１のガイド面１１ｃが形成される部分は、外部と連通するように開口部が設けられている。そしてこの開口部を介してガイド面１１ｃおよび該ガイド面１１ｃと接合されている載置面１１ａの端部が、第２筐体１０内から外側に向かって突出している。これによって、漏洩防止部材１１は、漏洩防止部材１１内に侵入した水をガイド面１１ｃに沿って第２筐体１０外に導くことができる。載置面１１ａは、第１筐体７の上面において水平に配置されているがこれに限定されるものではなく、例えば、ガイド面１１ｃが接合される上述した残余の一辺側が低くなるように傾斜させて配置されてもよい。
【００４９】
なお、壁面１１ｂおよびガイド面１１ｃは、ともに載置面１１ａに対して略垂直となるように設けられているが、必ずしも垂直ではなくてもよい。すなわち、壁面１１ｂおよびガイド面１１ｃは、少なくとも壁面１１ｂ部分から水が漏れることなく、かつガイド面１１ｃに沿って水が排出されるように設けられていればよい。
【００５０】
このように、燃料電池システム１００は、漏洩防止部材１１を備えるため、例えば貯湯タンク８から漏水したとしても、その水を漏洩防止部材１１により受け止め、第１筐体７内に水が及ばないようにすることができ安全性を確保できる。
【００５１】
（燃料電池システムの動作）
次に、上記した構成を有する燃料電池システム１００の動作について説明する。
【００５２】
まず、使用者がスタートボタンを押下する等して燃料電池システム１００の始動を指示すると、水、空気、および原料ガスがＳＯＦＣ４、改質器、および燃焼部を含む燃料電池モジュール５に供給される。これによって、ＳＯＦＣ４において発電が開始され、この発電により得られた直流電力は例えば、燃料電池補機６として備える制御装置を介して交流に変換され系統電源に供給される。
【００５３】
ところで、発電時、ＳＯＦＣ４ではその動作温度が６００〜７００℃と非常に高くなる。このため、ＳＯＦＣ４の発電時に生じる排熱と貯湯タンク８に供給される水との間における熱交換により、貯湯タンク８内に貯める水温を容易に７０〜７５℃とすることができる。本発明の実施形態に係る燃料電池システム１００では、具体的には燃料電池モジュール５から排出される排ガスと貯湯タンク８に貯留される水との間で熱交換を行い、水を所望の温度（例えば、７０〜７５℃）まで加熱することができる。
【００５４】
このように、燃料電池システム１００では、容易に貯湯タンク８内に貯留する水を所望の温度まで加熱することができるため、例えばＰＥＦＣを利用した燃料電池システムと比較して、貯湯タンク８の容量を小さく（例えばＰＥＦＣを利用した燃料電池システムが備える貯湯タンクの容量の約１／３となる７０Ｌ程に）することができる。
【００５５】
さらに、燃料電池システム１００は、燃料電池としてＳＯＦＣ４を利用した構成であるため、ＰＥＦＣを利用した構成と比較すると、ＰＥＦＣのように大掛かりな水素生成機が不要となる。
【００５６】
したがって、本発明の実施形態に係る燃料電池システム１００は、ＰＥＦＣを用いた燃料電池システムと比較して、小型化を図ることができる。
【００５７】
（燃料電池システムの取付けに係る構成）
次に、上述の図２および図４を参照して、燃料電池システム１００の取付けに係る構成について説明する。図２および図４に示すように第１筐体７の上面の４隅には、第１筐体７の上面から上方に向かって突出した円筒形の支柱１２がそれぞれ設けられている。一方、第２筐体１０側の底面の４隅には、第１筐体７から突出した支柱１２を挿通させることができるように孔部１３がそれぞれ設けられている。
【００５８】
孔部１３は、第１筐体７上に第２筐体１０を所望の位置に配置させたときに、支柱１２と対応する位置となるように設けられている。このため、第１筐体７の支柱１２を孔部１３に挿通させるだけで、第１筐体７と第２筐体１０との位置決めを容易に行うことができるとともに両者を固定させることができる。なお、支柱１２と孔部１３とのペアの個数は、４つに限定されるものではなく例えば、１つであってもよいし、４以上であってもよい。
【００５９】
また、図２および図４に示すように、第１筐体７は、その側面外側において、該第１筐体７内に収納されている不図示の第１配管および第１配線を、第２筐体内に収納されている不図示の第２配管および第２配線に接続させるための第１筐体側接合部１４を有している。一方、第２筐体１０も、その側面外側において、第２配管および第２配線を、第１配管および第１配線に接続させるための第２筐体側接合部１５を有している。特に、図２および図４に示すように、第１筐体側接合部１４および第２筐体側接合部１５は、第１筐体７上に第２筐体１０を配置した際に、互いが対応する位置に設けられている。
【００６０】
このように、第１筐体側接合部１４が第１筐体７の側面外側に、第２筐体側接合部１５が第２筐体１０の側面外側において、それぞれが対応する位置に設けられている。このため、作業員は、配管および配線の作業をしゃがみ込むことなく、立ったままで容易に行うことができる。また、第１筐体側接合部１４と第２筐体側接合部１５とを介して、第１配管と第２配管が、さらには第１配線と第２配線がそれぞれ接続されるため、第１筐体７と第２筐体１０との接合強度をより大きくすることができる。
【００６１】
特に図示しないが、第１筐体７内に収納された第１配管としては、例えば、燃料電池モジュール５から排出された排ガスを導くための排ガス経路が挙げられる。また、排ガス経路を流通する排ガスと熱交換するために第２筐体１０内に設けられた循環流路と接続され、該循環流路の一部を形成する流路なども挙げられる。第１配線としては、ＳＯＦＣ４で発電した電力を、該電力を消費する各機器に供給するための電気回路等が挙げられる。
【００６２】
一方、第２筐体１０内に収納された第２配管としては、例えば、上述した循環流路が挙げられる。また、排ガスと貯湯タンク８内に貯留された水との熱交換を第２筐体側で行う場合は、第２配管として、第１筐体７内の排ガス経路と接続され、該排ガス経路の一部を形成する流路なども挙げることができる。第２配線としては、例えば、ＳＯＦＣ４で発電された電力を、該電力を消費する各機器に供給するための電気回路等が挙げられる。
【００６３】
なお、本発明の実施形態に係る燃料電池システム１００では、燃料電池モジュール５が含む燃料電池がＳＯＦＣ４の場合について例に挙げて説明したが、燃料電池はこれに限定されるものではない。ＳＯＦＣ４と同様に高温動作形の燃料電池であって燃料電池システム全体の小型化が図れる別方式の燃料電池であってもよい。
【産業上の利用可能性】
【００６４】
本発明の燃料電池システムは、運搬および設置を適切に行うことができる燃料電池システムとして有用である。例えば、燃料電池システムは、２人の作業員で容易に運搬可能であり、燃料電池モジュールの横倒し等が生じないため、運搬通路等含め狭小地での燃料電池システムの設置に有用となる。
【符号の説明】
【００６５】
５      燃料電池モジュール
６      燃料電池補機
７      第１筐体
７ａ    通気穴
８      貯湯タンク
９      貯湯タンク補機
１０      第２筐体
１１      漏洩防止部材
１１ａ    載置面
１１ｂ    壁面
１１ｃ    ガイド面
１２      支柱
１３      孔部
１４      第１筐体側接合部
１５      第２筐体側接合部
１００      燃料電池システム
【図１】
2016162636.tif 000003
【図２】
2016162636.tif 000004
【図３】
2016162636.tif 000005
【図４】
2016162636.tif 000006
【図５】
2016162636.tif 000007